(57)【要約】本発明は、移動ＩＰを使用する移動通信システムに関し、移動端末が第１ゲートウェイパケット無線サービス支援ノード領域に進入し、前記第１ゲートウェイパケット無線サービス支援ノードが訪問者ノードエージェントの機能を遂行する場合、前記第１ゲートウェイパケット無線サービス支援ノードへ位置登録を要求し、これにより、前記第１ゲートウェイパケット無線サービス支援ノードが前記第１ゲートウェイパケット無線サービス支援ノードに対するゲートウェイ訪問者ノードエージェントの機能を遂行する第２ゲートウェイパケット無線サービス支援ノードへ前記移動端末に対する位置登録を要求して前記第２ゲートウェイパケット無線サービス支援ノードが前記移動端末の位置情報をホームノードエージェントに登録する。
2004515113.tif 000002
【特許請求の範囲】
【請求項１】
移動端末と、前記移動端末の位置情報を貯蔵する訪問者ノードエージェントの機能を遂行する第１ゲートウェイパケット無線サービス支援ノード（Ｇａｔｅｗａｙ ＧＰＲＳ（Ｇｅｎｅｒａｌ Ｐａｃｋｅｔ Ｒａｄｉｏ Ｓｅｒｖｉｃｅ）Ｓｕｐｐｏｒｔ Ｎｏｄｅ）と、前記第１ゲートウェイパケット無線サービス支援ノードの位置情報を貯蔵する第２ゲートウェイパケット無線サービス支援ノードと、前記第２ゲートウェイパケット無線サービス支援ノードに連結されたホームノードエージェントとを備えて移動ＩＰを使用する移動通信システムにおいて通信ノードとのデータ通信を遂行するための地域的トンネル管理方法において、
前記移動端末が、前記第１ゲートウェイパケット無線サービス支援ノードによって、前記第１ゲートウェイパケット無線サービス支援ノードが訪問者ノードエージェントの機能を支援することを示す情報と、前記第１ゲートウェイパケット無線サービス支援ノードに対する前記第２ゲートウェイパケット無線サービス支援ノードのアドレスを伴うノードエージェント広告メッセージとを受信すると、前記第１ゲートウェイパケット無線サービス支援ノードへ位置登録を要求するステップと、
前記第１ゲートウェイパケット無線サービス支援ノードから、前記位置登録要求を、前記第２ゲートウェイパケット無線サービス支援ノードへ伝送するステップと、
前記第２ゲートウェイパケット無線サービス支援ノードが、前記移動端末が属した前記第１ゲートウェイパケット無線サービス支援ノードのアドレスを登録した後、前記ホームノードエージェントへ、前記移動端末が属した前記第１ゲートウェイパケット無線サービス支援ノードのアドレスを示す位置情報メッセージを伝送するステップと
を含むことを特徴とする方法。
【請求項２】
前記移動端末が伝送する位置登録要求は、前記移動端末が属した前記第１ゲートウェイパケット無線サービス支援ノードのアドレスを含むことを特徴とする請求項１記載の方法。
【請求項３】
前記ノードエージェント広告メッセージは、前記移動端末と前記第１ゲートウェイパケット無線サービス支援ノードとの間のトンネルを通じて伝送されることを特徴とする請求項１記載の方法。
【請求項４】
前記通信ノードから前記移動端末を目的地にするデータが受信されると、前記ホームノードエージェントは、前記データの目的地アドレスが前記第２ゲートウェイパケット無線サービス支援ノードのアドレスであるか否かを検査するステップと、
前記検査結果、前記データの目的地アドレスが前記第２ゲートウェイパケット無線サービス支援ノードのアドレスである場合、前記第２ゲートウェイパケット無線サービス支援ノードへ前記データを伝送するステップとをさらに含むことを特徴とする請求項１記載の方法。
【請求項５】
前記ホームノードエージェントは、前記データの目的地アドレスが前記第２ゲートウェイパケット無線サービス支援ノードのアドレスではない場合、前記第１ゲートウェイパケット無線サービス支援ノードへ前記データを伝送するステップをさらに含むことを特徴とする請求項４記載の方法。
【請求項６】
前記位置情報メッセージは、前記第１ゲートウェイパケット無線サービス支援ノードのアドレスと前記第２ゲートウェイパケット無線サービス支援ノードのアドレスとを含むことを特徴とする請求項１記載の方法。
【請求項７】
移動端末と、前記移動端末の現在位置情報を貯蔵する訪問者ノードエージェントの機能または特定の領域に存在する前記訪問者ノードエージェントに対するゲートウェイ訪問者ノードエージェントの機能を遂行する第１ゲートウェイパケット無線サービス支援ノードと、前記第１ゲートウェイパケット無線サービス支援ノードに連結されたホームノードエージェントとを備えて移動ＩＰを使用する移動通信システムにおいて通信ノードとのデータ通信を遂行するための地域的トンネル管理方法において、
前記移動端末が、第２ゲートウェイパケット無線サービス支援ノードの領域に進入すると、トンネルを生成し、前記生成したトンネルを通して、前記第２ゲートウェイパケット無線サービス支援ノードが前記訪問者ノードエージェントの機能を遂行するかまたは前記ゲートウェイ訪問者ノードエージェントの機能を遂行するかを示すノードエージェント広告メッセージを受信するステップと、
前記ノードエージェント広告メッセージを受信した移動端末は、前記第２ゲートウェイパケット無線サービス支援ノードが訪問者ノードエージェントの機能を遂行する場合、前記第２ゲートウェイパケット無線サービス支援ノードに、位置登録を要求する第１登録要求メッセージを伝送するステップと、
前記第１登録要求メッセージを受信した第２ゲートウェイパケット無線サービス支援ノードは、前記第２ゲートウェイパケット無線サービス支援ノードに対するゲートウェイ訪問者ノードエージェントの機能を遂行する前記第１ゲートウェイパケット無線サービス支援ノードへ、前記移動端末に対する位置登録を要求する第２登録要求メッセージを伝送するステップと、
前記第２登録要求メッセージを受信した第１ゲートウェイパケット無線サービス支援ノードは、前記移動端末の位置情報を示す位置情報メッセージを前記ホームノードエージェントへ伝送するステップと
を含むことを特徴とする方法。
【請求項８】
前記位置情報メッセージは、前記第１ゲートウェイパケット無線サービス支援ノードのＩＰアドレス及び前記第２ゲートウェイパケット無線サービス支援ノードのＩＰアドレスを含むことを特徴とする請求項７記載の方法。
【請求項９】
前記第２ゲートウェイパケット無線サービス支援ノードが前記ゲートウェイ訪問者ノードエージェントの機能を遂行する場合、前記移動端末から前記第２ゲートウェイパケット無線サービス支援ノードに、位置登録を要求する第２登録要求メッセージを伝送するステップと、
前記第２登録要求メッセージを受信した前記第２ゲートウェイパケット無線サービス支援ノードは、前記移動端末の位置情報を示す位置情報メッセージを前記ホームノードエージェントへ伝送するステップをさらに含むことを特徴とする請求項７記載の方法。
【請求項１０】
前記ホームノードエージェントが、前記位置情報メッセージを受信した後、前記通信ノードから、前記移動端末を目的地にするデータを受信すると、前記移動端末が現在接続されている前記第２ゲートウェイパケット無線サービス支援ノードへ前記データを伝送するステップをさらに含むことを特徴とする請求項７記載の方法。
【発明の詳細な説明】
【０００１】
【発明の属する技術分野】
本発明は、移動ＩＰを使用する通信システムに関し、特に、通信ノード（Ｃｏｒｒｅｓｐｏｎｄｅｎｔ Ｎｏｄｅ；ＣＮ）から移動端末（Ｍｏｂｉｌｅ Ｎｏｄｅ；ＭＮ）へデータ伝送のための地域的トンネル管理方法に関する。
【０００２】
【従来の技術】
一般的に、移動ＩＰ（Ｍｏｂｉｌｅ ＩＰ）技術は、ＩＰ（Ｉｎｔｅｒｎｅｔ Ｐｒｏｔｏｃｏｌ；以下、“ＩＰ”と称する。）網に接続するクライアント（ｃｌｉｅｎｔ）に移動性を提供するための技術である。ＩＰ網が特定の地域に対して固定されたＩＰアドレス（ａｄｄｒｅｓｓ）を有するので、前記ＩＰ網に接続するクライアントは、移動する度にＩＰアドレスを新たに割り当てられて使用すべき不便さがあった。しかし、前記移動ＩＰ網は、クライアントが移動する場合にも別途の新たな変更なく、既存の固定された移動ＩＰアドレスを使用してＩＰ網のサーバ（ｓｅｒｖｅｒ）及びデータを送受信することができる。
【０００３】
前記移動ＩＰ技術を説明するために、まず、移動ＩＰ技術で使用される用語を説明する。
移動端末（ＭＮ；Ｍｏｂｉｌｅ Ｎｏｄｅ）は、ＩＰ網のクライアントからデータを受信するために固有のＩＰアドレスを有して移動性がある。
訪問者ノードエージェント（ＦＡ；Ｆｏｒｅｉｇｎ Ａｇｅｎｔ）は、ＩＰ網を構成するノード（Ｎｏｄｅ）で一定な領域内で前記移動端末に無線で連結され、固有のＩＰアドレスを有し、前記移動端末に対する情報を貯蔵する。
【０００４】
ホームノードエージェント（ＨＡ；Ｈｏｍｅ Ａｇｅｎｔ）は、前記移動端末の位置情報を管理するノードである。前記ホームノードエージェントは、通信ノード（ＣＮ；Ｃｏｒｒｅｓｐｏｎｄｅｎｔ Ｎｏｄｅ）から前記移動端末に伝送するデータを受信する場合、前記ホームノードエージェントの自分が管理している前記移動端末の位置情報を利用して前記移動端末が属したゲートウェイ訪問者ノードエージェント（ＧＦＡ；Ｇａｔｅｗａｙ Ｆｏｒｅｉｇｎ Ａｇｅｎｔ）へ前記受信したデータを再伝送する。
【０００５】
ゲートウェイ訪問者ノードエージェントは、地域的トンネル管理（ｒｅｇｉｏｎａｌ ｔｕｎｎｅｌ ｍａｎａｇｅｍｅｎｔ）に必須的なノードで、予め設定した任意の地域、例えば、訪問ネットワーク（ｖｉｓｉｔ ｎｅｔｗｏｒｋ）から前記移動端末が位置登録を要求すると、前記ゲートウェイ訪問者ノードエージェントが前記ホームノードエージェントの役割を遂行するようになる。
通信ノード（ＣＮ；Ｃｏｒｒｅｓｐｏｎｄｅｎｔ Ｎｏｄｅ）は、前記移動端末との通信を望むＩＰネットワークのホスト（ｈｏｓｔ）である。
【０００６】
地域的トンネル管理は、移動端末が任意の領域、すなわち、一つのゲートウェイ訪問者ノードエージェントが管理する領域から移動して、これに属する訪問者ノードエージェントが変更された場合、位置登録を前記ホームノードエージェントまで伝達せず、前記移動端末が属したゲートウェイ訪問者ノードエージェントまでのみ伝達する方法を意味する。
【０００７】
図１乃至図４を参照して、通常な移動ＩＰでの地域的トンネル管理方法を説明する。
図１は、通常な移動ＩＰを使用する通信システムで位置登録過程を示す。図１を参照すると、移動端末１０が任意の訪問者ノードエージェント２０の領域へ進入すると、前記訪問者ノードエージェント２０は、放送チャンネルを通じて特定の情報を前記移動端末１０へ放送する。そうすると、前記移動端末１０は、前記訪問者ノードエージェント２０が放送する情報を受信し、自分がどんな訪問者ノードエージェントにあるかを判断する。前記移動端末１０は、自分がどんな訪問者ノードエージェントの領域にあるかを知ると、すなわち、前記訪問者ノードエージェント２０の領域に存在することを感知すると、ステップ１０１で、前記訪問者ノードエージェント２０へ登録を要求する登録要求（ｒｅｇｉｓｔｒａｔｉｏｎ ｒｅｑｕｅｓｔ）メッセージを伝送する。前記登録要求メッセージは、前記移動端末１０の認証（ａｕｔｈｅｎｔｉｃａｔｉｏｎ）情報を含む。前記登録要求メッセージを受信した訪問者ノードエージェント２０は、ステップ１０３で、前記受信した登録要求メッセージに含まれている前記移動端末１０の情報を貯蔵し、前記訪問者ノードエージェント２０の自分が属したホームノードエージェント３０へ前記移動端末１０の登録を要求する登録要求メッセージを伝送する。ここで、前記訪問者ノードエージェント２０が伝送する登録要求メッセージには、前記移動端末１０が属した前記訪問者ノードエージェント２０のＩＰアドレスを含む。前記ホームノードエージェント３０は、前記登録要求メッセージに含まれた移動端末１０の情報を利用して認証過程を遂行し、前記登録要求メッセージから前記移動端末１０の位置情報、すなわち、前記移動端末１０が属した訪問者ノードエージェント２０のアドレスを貯蔵する。前記ホームノードエージェント３０は、前記移動端末１０に対する認証過程が正常的に遂行されると、ステップ１０７で使用を許容する登録応答メッセージを伝送し、これを受信した訪問者ノードエージェント２０は、ステップ１０５で、前記登録応答メッセージを前記移動端末１０へさらに伝送する。前記過程を通じて前記移動端末１０の位置がホームノードエージェント３０に登録されると、前記移動端末１０は、前記ホームノードエージェント３０を通じてＩＰネットワークのホスト（Ｈｏｓｔ）、すなわち、通信ノード及びデータを送受信することができる。通常、前記通信ノードからデータを受信する場合、前記移動端末１０は、前記ホームノードエージェント３０及び訪問者ノードエージェント２０を通じてデータを受信する。しかし、前記移動端末１０がデータを伝送する場合は、訪問者ノードエージェント２０及びホームノードエージェント３０を通じて通信ノードへデータを伝送することもでき、前記訪問者ードエージェント２０を通じてＩＰネットワークの同等ノード（Ｐｅｅｒ ｎｏｄｅ）に該当するルーター（ｒｏｕｔｅｒ）を通じて直接伝達することもできる。また、前記通信ノードが他の訪問者ノードエージェントに連結されている場合、前記移動端末１０は、前記訪問者ノードエージェント２０と通信ノードが連結された訪問者ノードエージェントと直接データを送受信することもできる。
【０００８】
一方、前記移動端末１０が他の訪問者ノードエージェントの領域へ移動する場合、前記移動端末１０は、移動するときごと自分の位置情報を前記ホームノードエージェント３０に登録するためにメッセージをやり取らなければならない。しかし、前記移動端末１０が前記ホームノードエージェント３０と遠く離れた位置に存在すると、例えば、前記移動端末１０が韓国に位置しており、前記ホームノードエージェント３０が米国に位置していると、前記登録メッセージをやり取るとき、遅延時間が長くなる。このような短所を補完するために、移動ＩＰ技術では、地域的トンネル管理方法を使用する。前記地域的トンネル管理方法は、前記訪問者ノードエージェントの以外に前記ゲートウェイ訪問者ノードエージェントが前記移動端末の移動による登録過程を遂行する。すなわち、一定の大きさの領域を訪問ネットワーク（ｖｉｓｉｔ ｎｅｔｗｏｒｋ）として設定しておいた後、前記訪問ネットワーク内で前記移動端末が移動する場合は、その移動によって前記ホームノードエージェントに位置登録を遂行せず、前記ゲートウェイ訪問者ノードエージェントにのみ位置登録を行うものである。例えば、前記訪問ネットワークに５つの訪問者ノードエージェントが存在するとき、前記移動端末が前記５つの訪問者ノードエージェントのうちいずれかの訪問者ノードエージェントへ移動しても、前記ホームノードエージェントには位置登録を新たにせず、ただ、前記ゲートウェイ訪問者ノードエージェントにのみ位置登録を行うものである。このような地域的トンネル管理方法を図２を参照して説明する。
【０００９】
図２は、通常な移動ＩＰを使用する移動通信システムで地域的トンネル管理による初期の位置登録過程を示す。
図２を参照すると、移動端末１０が訪問者ノードエージェント２０の領域へ進入すると、前記移動端末１０は、前記訪問者ノードエージェント２０から放送される情報を受信した後、ステップ２０１で、前記訪問者ノードエージェント２０へ登録要求メッセージを伝送する。前記移動端末１０から前記登録要求メッセージが受信されると、前記訪問者ノードエージェント２０は、ステップ２０３で、登録要求メッセージをゲートウェイ訪問者ノードエージェント４０へ伝送する。そうすると、前記訪問者ノードエージェント４０は、前記訪問者ノードエージェント２０のアドレス及び前記移動端末１０の情報を貯蔵し、ステップ２０５で、さらに、ホームノードエージェント３０へ前記ゲートウェイ訪問者ノードエージェント４０の自分のアドレスを含む登録要求メッセージを伝送する。ここで、前記ホームノードエージェント３０は、前記受信された登録要求メッセージに含まれている前記移動端末１０の位置情報を貯蔵する。このとき、前記ホームノードエージェント３０が貯蔵する移動端末１０の位置情報は、実際に、前記移動端末１０が属したゲートウェイ訪問者ノードエージェント４０のアドレスになる。前記ホームノードエージェント３０は、前記登録要求による登録を終了した後、ステップ２０７で、登録応答メッセージを前記ゲートウェイ訪問者ノードエージェント４０へ伝送し、これにより、前記ゲートウェイ訪問者ノードエージェント４０は、ステップ２０９で、登録応答メッセージを前記訪問者ノードエージェント２０へ伝送する。そうすると、前記訪問者ノードエージェント２０は、ステップ２１１で、前記移動端末１０へ登録応答メッセージを伝送する。
【００１０】
図２に示すように、前記移動端末１０が地域的トンネル管理方法による位置登録を終了した後、元来最初に属していた訪問者ノードエージェントから他の訪問者ノードエージェントへ移動した場合の動作を図３及び図４を参照して説明する。
【００１１】
図３は、通常な移動ＩＰを使用する通信システムで、移動端末が現在属した訪問者ノードエージェントから他の訪問者ノードエージェントへ移動する場合を概略的に示す図であり、図４は、通常な移動ＩＰを使用する通信システムで地域的トンネル管理による位置登録過程を示す図である。
【００１２】
図３及び図４を参照すると、まず、図３に示すように、移動端末１０が図２から説明したように、初期の位置登録過程を通じて参照番号３０３の領域を有する第１訪問者ノードエージェント２０及びゲートウェイ訪問者ノードエージェント４０を通じてホームノードエージェント３０に前記移動端末１０の自分に対する位置登録を行った後、参照番号３０５の領域を有する他の訪問者ノードエージェント、すなわち、第２訪問者ノードエージェント２５へ移動した場合、前記移動端末１０は、図４に示すステップ４０１で、前記第２訪問者ノードエージェント２５へ登録要求メッセージを伝送する。前記登録要求メッセージを受信した前記第２訪問者ノードエージェント２５は、前記移動端末１０に対する情報を貯蔵し、ステップ４０３で、前記第２訪問者ノードエージェント２５の自分のアドレスと前記移動端末１０の情報を含む登録要求メッセージをゲートウェイ訪問者ノードエージェント４０へ伝送する。ここで、前記ゲートウェイ訪問者ノードエージェント４０は、図３の参照番号３０１のような前記ゲートウェイ訪問者ノードエージェント４０の自分の領域内にあるすべての訪問者ノードエージェント、すなわち、第１訪問者ノードエージェント２０及び第２訪問者ノードエージェント２５のアドレスと前記訪問者ノードエージェントに連結されているすべての移動端末の情報を貯蔵している。従って、前記ゲートウェイ訪問者ノードエージェント４０は、前記第２訪問者ノードエージェント２５から登録要求メッセージが受信されると、前記受信された登録要求メッセージに含まれた前記移動端末１０の情報を有する訪問者ノードエージェントがあるか否かを検査する。前記検査結果、前記移動端末１０の情報を有する訪問者ノードエージェントがある場合、前記ゲートウェイ訪問者ノードエージェント４０は、自分の領域内の他の訪問者ノードエージェント、すなわち、第１訪問者ノードエージェント２０から前記移動端末１０が移動したことを判断することができる。従って、前記ゲートウェイ訪問者ノードエージェント４０は、前記ホームノードエージェント３０へ前記移動端末１０に対する位置登録のための登録要求メッセージを伝送せず、ステップ４０５で、前記第２訪問者ノードエージェント２５へ登録応答メッセージを直接伝送する。そうすると、前記第２訪問者ノードエージェント２５は、ステップ４０７で前記移動端末１０へ登録応答メッセージを伝送する。
【００１３】
一方、通信ノードへデータを伝送する間は、前記移動端末１０は、従来方法と同様に動作する。しかし、前記移動端末１０へデータを伝送する間は、前記通信ノードは、前記ホームノードエージェント３０へデータを伝送し、前記ホームノードエージェント３０は、前記ゲートウェイ訪問者ノードエージェント４０へ前記データを再び伝送する。そうすると、前記ゲートウェイ訪問者ノードエージェント４０は、前記データを前記移動端末１０が位置している訪問者ノードエージェントへ再び伝送し、前記訪問者ノードエージェントは、前記移動端末１０へ前記データを再び伝送する。従って、地域的トンネル管理を遂行する場合、通信ノードから移動端末１０へのデータ伝送は、一般的な移動ＩＰでのデータ伝送より複雑なデータ伝送過程を有するようになる。
【００１４】
そして、現在、移動通信システムは、ＩＭＴ−２０００システムの常用化のために開発に拍車をかけており、前記ＩＭＴ−２０００システムは、米国型の同期方式とヨーロッパ型の非同期方式がある。このようなＩＭＴ−２０００システムで前記移動ＩＰ技術の適用は必須的であろう。しかし、従来の移動ＩＰでの地域的トンネル管理方法を前記ヨーロッパ型の非同期通信システムに適用する場合、前記訪問者管理ノードの特性上、すなわち、前記訪問者管理ノードは、その情報をブロードキャスティング（放送）する形態を有しているため、資源の浪費をもたらす短所があった。
【００１５】
また、特定のネットワークにおいて、一つのゲートウェイ訪問者ノードエージェントを備えることは、前記ヨーロッパ型の非同期通信システム環境では適合ではない。その理由は、前記ヨーロッパ型の非同期通信システムは、コネクションオリエンテッド（ｃｏｎｎｅｃｔｉｏｎ ｏｒｉｅｎｔｅｄ）方式を使用しているため、前記ヨーロッパ型の非同期通信システムにおいて、前記ゲートウェイ訪問者ノードエージェントの機能を遂行するゲートウェイパケット無線サービス支援ノード（ＧＧＳＮ；Ｇａｔｅｗａｙ ＧＰＲＳ（Ｇｅｎｅｒａｌ Ｐａｃｋｅｔ Ｒａｄｉｏ Ｓｅｒｖｉｃｅ） Ｓｕｐｐｏｒｔ Ｎｏｄｅ）に深刻な停滞（ｃｏｎｇｅｓｔｉｏｎ）が発生することもある。
【００１６】
【発明が解決しようとする課題】
従って、本発明の目的は、移動通信システムにおいて、通信ノードから移動端末へデータを伝送するための地域的トンネル管理方法を提供することにある。
本発明の他の目的は、移動通信システムの通信ノードから移動端末へメッセージ伝送を最小化するための地域的トンネル管理方法を提供することにある。
【００１７】
【課題を解決するための手段】
前記のような目的を達成するために、本発明は、移動端末と、前記移動端末の位置情報を貯蔵する訪問者ノードエージェントの機能を遂行する第１ゲートウェイパケット無線サービス支援ノードと、前記第１ゲートウェイパケット無線サービス支援ノードの位置情報を貯蔵する第２ゲートウェイパケット無線サービス支援ノードと、前記第２ゲートウェイパケット無線サービス支援ノードに連結されたホームノードエージェントとを備えて移動ＩＰを使用する移動通信システムにおいて通信ノードとのデータ通信を遂行するための地域的トンネル管理方法において、前記移動端末が、前記第１ゲートウェイパケット無線サービス支援ノードによって、前記第１ゲートウェイパケット無線サービス支援ノードが訪問者ノードエージェントの機能を支援することを示す情報と、前記第１ゲートウェイパケット無線サービス支援ノードに対する前記第２ゲートウェイパケット無線サービス支援ノードのアドレスを伴うノードエージェント広告メッセージとを受信すると、前記第１ゲートウェイパケット無線サービス支援ノードへ位置登録を要求するステップと、前記第１ゲートウェイパケット無線サービス支援ノードから、前記位置登録要求を、前記第２ゲートウェイパケット無線サービス支援ノードへ伝送するステップと、前記第２ゲートウェイパケット無線サービス支援ノードが、前記移動端末が属した前記第１ゲートウェイパケット無線サービス支援ノードのアドレスを登録した後、前記ホームノードエージェントへ、前記移動端末が属した前記第１ゲートウェイパケット無線サービス支援ノードのアドレスを示す位置情報メッセージを伝送するステップとを含むことを特徴とする。
【００１８】
望ましくは、前記移動端末が伝送する位置登録要求は、前記移動端末が属した前記第１ゲートウェイパケット無線サービス支援ノードのアドレスを含み、前記ノードエージェント広告メッセージは、前記移動端末と前記第１ゲートウェイパケット無線サービス支援ノードとの間のトンネルを通じて伝送されることを特徴とする。
【００１９】
そして、前記通信ノードから前記移動端末を目的地にするデータが受信されると、前記ホームノードエージェントは、前記データの目的地アドレスが前記第２ゲートウェイパケット無線サービス支援ノードのアドレスであるか否かを検査し、前記検査結果、前記データの目的地アドレスが前記第２ゲートウェイパケット無線サービス支援ノードのアドレスである場合、前記第２ゲートウェイパケット無線サービス支援ノードへ前記データを伝送することを特徴とする。
【００２０】
また、前記ホームノードエージェントは、前記データの目的地アドレスが前記第２ゲートウェイパケット無線サービス支援ノードのアドレスではない場合、前記第１ゲートウェイパケット無線サービス支援ノードへ前記データを伝送することを特徴とする。
【００２１】
望ましくは、前記位置情報メッセージは、前記第１ゲートウェイパケット無線サービス支援ノードのアドレスと前記第２ゲートウェイパケット無線サービス支援ノードのアドレスとを含むことを特徴とする。
【００２２】
【発明の実施の形態】
以下、本発明に従う好適な実施形態について添付図面を参照しつつ詳細に説明する。下記説明において、本発明の要旨のみを明確にする目的で、関連した公知機能または構成に関する具体的な説明は省略する。
【００２３】
まず、本発明による“ゲートウェイパケット無線サービス支援ノード（Ｇａｔｅｗａｙ ＧＰＲＳ（Ｇｅｎｅｒａｌ Ｐａｃｋｅｔ Ｒａｄｉｏ Ｓｅｒｖｉｃｅ） Ｓｕｐｐｏｒｔ Ｎｏｄｅ；以下、“ＧＧＳＮと称する。）”は、ＵＭＴＳ（Ｕｎｉｖｅｒｓａｌ Ｍｏｂｉｌｅ Ｔｅｌｅｃｏｍｍｎｉｃａｔｉｏｎ Ｓｙｓｔｅｍ）網を構成するノードとして、訪問者ノードエージェント（Ｆｏｒｅｉｇｎ Ａｇｅｎｔ；ＦＡ）及びゲートウェイ訪問者ノードエージェント（Ｇａｔｅｗａｙ Ｆｏｒｅｉｇｎ Ａｇｅｎｔ；ＧＦＡ）の機能を選択的に支援するか、またはすべて同一に支援可能なノードである。すなわち、現在、ＧＧＳＮに連結されているすべての移動端末（Ｍｏｂｉｌｅ Ｎｏｄｅ；ＭＮ）に連結されて外部網と移動端末とのインタフェース（ｉｎｔｅｒｆａｃｅ）役割を遂行する。
【００２４】
図５は、本発明の一実施形態による移動ＩＰを適用するヨーロッパ型の非同期通信システムで地域的トンネル管理による初期の位置登録過程を示す信号フロー図である。図５を参照すると、移動端末５０がＵＭＴＳ網のＧＧＳＮ６０の領域に進入すると、ホームノードエージェント（ＨＡ；Ｈｏｍｅ Ａｇｅｎｔ）７０に前記移動端末５０の位置情報を登録するために前記ＧＧＳＮ６０及びＧＴＰ（ＧＰＲＳ Ｔｕｎｎｅｌｉｎｇ Ｐｒｏｔｏｃｏｌ）トンネル（ｔｕｎｎｅｌ）が生成される。
【００２５】
前記ＧＴＰトンネル生成方法は次のようである。前記移動端末５０がＵＭＴＳ網を構成するノードのうちの１つである無線ネットワーク制御器（Ｒａｄｉｏ Ｎｅｔｗｏｒｋ Ｃｏｎｔｒｏｌｌｅｒ；以下、“ＲＮＣ”と称する。）（図示せず）と無線で情報を送受信する。そうすると、前記ＲＮＣは、前記移動端末５０がデータを外部網へ伝達しようとすることを感知し、前記ＲＮＣは、前記ＵＭＴＳ網を構成するノードのうち１つであるパケット無線サービス支援ノード（Ｓｅｒｖｉｎｇ ＧＰＲＳ Ｓｕｐｐｏｒｔ Ｎｏｄｅ；以下、“ＳＧＳＮ”と称する。）（図示せず）にこのような事実を知らせる。前記ＳＧＳＮは、受信した情報を前記ＧＧＳＮ６０に伝達する。そうすると、前記ＧＧＳＮ６０もデータを伝達するためのトンネルを生成し、やはり、前記ＲＮＣにこのような事実を通報する。
【００２６】
前記ＲＮＣは、最後にデータを伝達するためのトンネルを生成し、前記移動端末５０にデータを送受信することができる事実を知らせる。前記のような過程を通じてＧＴＰトンネルが生成されると、ステップ５０１で、前記ＧＧＳＮ６０は、前記移動端末５０へノードエージェント広告（Ａｇｅｎｔ Ａｄｖｅｒｔｉｓｅｍｅｎｔ）メッセージを伝送する。ここで、前記ノードエージェント広告メッセージは、前記ＧＧＳＮ６０のＩＰアドレス及び前記ＧＧＳＮ６０の自分の機能を知らせるための“Ｉ”フラグ（ｆｌａｇ）を含む。ここで、前記“Ｉ”フラグは、前記ＧＧＳＮ６０が前記訪問者ノードエージェント及びゲートウェイ訪問者ノードエージェントの機能をすべて支援して前記訪問者ノードエージェント及びゲートウェイ訪問者ノードエージェントの機能のうち、選択的な動作を遂行する場合は、リセット（ｒｅｓｅｔ）された値が設定される。前記ＧＧＳＮ６０がゲートウェイ訪問者ノードエージェントの機能を遂行する場合、前記ＧＧＳＮ６０は、前記ホームノードエージェント７０を感知する。そこで、前記ＧＧＳＮ６０は、前記移動端末５０の移動情報を前記ホームノードエージェント７０に登録する。前記“Ｉ”フラグがセットされていないと、前記ＧＧＳＮ６０は、前記訪問者ノードエージェントの機能のみを遂行する。前記ＧＧＳＮ６０は、放送アドレスを使用して前記移動端末５０に前記ノードエージェント広告メッセージを伝送し、前記ノードエージェント広告メッセージは、前記生成されたＧＴＰトンネルを通じて伝送される。また、前記“Ｉ”フラグは、サービス提供者によって設定されるフラグである。そして、本発明の実施形態では、説明の便宜上、前記ＧＧＳＮ６０が前記訪問者ノードエージェント及びゲートウェイ訪問者ノードエージェントの機能をすべて遂行する場合を一例にして説明する。
【００２７】
前記移動端末５０は、前記ＧＧＳＮ６０から前記ノードエージェント広告メッセージが受信されると、前記ＧＧＳＮ６０のアドレス及びホームノードエージェント７０のアドレスを貯蔵し、ステップ５０３で、登録要求メッセージを前記ＧＧＳＮ６０へ伝送する。ここで、前記登録要求メッセージには、前記移動端末５０のアドレス及び前記ＧＧＳＮ６０のアドレスが含まれる。前記ＧＧＳＮ６０は、ステップ５０５で、前記移動端末５０の登録要求に応答して、登録要求メッセージを前記ホームノードエージェント７０へ伝送する。前記ホームノードエージェント７０は、前記ＧＧＳＮ６０から登録要求メッセージを受信して前記移動端末５０の位置情報を貯蔵する。前記位置情報は、結局、前記移動端末５０が属したＧＧＳＮ６０のアドレスになる。前記ＧＧＳＮ６０の登録要求メッセージに応答して、前記ホームノードエージェント７０は、ステップ５０７で、前記ＧＧＳＮ６０へ登録応答メッセージを伝送し、前記ホームノードエージェント７０から登録応答メッセージを受信した前記ＧＧＳＮ６０は、ステップ５０９で、前記移動端末５０へ登録応答メッセージを伝送する。
【００２８】
前記移動端末５０の初期の位置登録過程を図５を参照して説明し、次に、図６及び図７を参照して、地域的トンネル管理による位置登録過程を説明する。
図６は、本発明の他の実施形態による移動ＩＰを使用する通信システムで地域的トンネル管理による位置登録過程を示す信号フロー図であり、図７は、本発明のまた他の実施形態による移動ＩＰを使用する通信システムで移動端末が現在属したゲートウェイパケット無線サービス支援ノードから他のゲートウェイパケット無線サービス支援ノードへ移動する場合を概略的に示す図である。
【００２９】
まず、図５から説明したような初期の位置登録過程を通じて移動端末５０は位置登録を遂行する。そして、前記初期の位置登録を遂行した後、図７に示すように、ステップ７０９で、ＧＧＳＮ６５の領域からＧＧＳＮ６０の領域へ移動すると、図６の過程によって位置登録過程を遂行する。そうすると、図６を参照して、前記位置登録過程を説明する。
【００３０】
前記移動端末５０が訪問者ノードエージェントの役割をするＧＧＳＮ６５の領域から前記ＧＧＳＮ６０の領域へ移動すると、前記ＧＧＳＮ６０と移動端末５０との間にＧＴＰトンネルが生成され、前記移動端末５０は、ステップ６００で、図５のステップ５０１から説明したように、新たな訪問者ノードエージェントの動作を遂行するＧＧＳＮ６０からノードエージェント広告（ＡＧＥＮＴ ＡＤＶＥＲＴＩＳＥＭＥＮＴ）メッセージを受信する。前記ノードエージェント広告メッセージが受信されると、前記移動端末５０は、前記ノードエージェント広告メッセージに含まれている前記ＧＧＳＮ６０のゲートウェイ訪問者ノードエージェントのアドレスを貯蔵せず、ステップ６０１で、登録要求メッセージを前記ＧＧＳＮ６０へ伝送する。ここで、前記移動端末５０が前記ＧＧＳＮ６０のゲートウェイ訪問者ノードエージェントのアドレスを貯蔵しない理由は、前記移動端末５０が以前に連結されていたＧＧＳＮ６５から受信して貯蔵しているゲートウェイ訪問者ノードエージェントの機能を遂行するＧＧＳＮのアドレスと同一であるからである。ステップ６０１で、伝送される登録要求メッセージには、ゲートウェイ訪問者ノードエージェントの動作を遂行するＧＧＳＮのアドレスが含まれる。そうすると、前記ＧＧＳＮ６０は、前記移動端末５０の登録要求に応じて、ステップ６０３で、自分の固有のアドレスと共に登録要求メッセージをゲートウェイ訪問者ノードエージェントの動作を遂行するＧＧＳＮ６５へ伝送する。そうすると、前記ＧＧＳＮ６５は、前記移動端末５０に関する情報と前記訪問者ノードエージェントの動作を遂行するＧＧＳＮ６０のアドレスを貯蔵し、ステップ６０５で、登録応答メッセージを前記ＧＧＳＮ６０へ伝送する。そうすると、前記ＧＧＳＮ６０は、ステップ６０７で、前記登録応答メッセージを前記移動端末５０へ伝送する。前記ＧＧＳＮ６５は、前記ＧＧＳＮ６０の登録要求に応答して、登録応答メッセージを前記ＧＧＳＮ６０へ伝送した後、ステップ６０９で、前記訪問者ノードエージェントの動作を遂行するＧＧＳＮ６０のアドレス情報を有する位置情報（ｌｏｃａｔｉｏｎ ｉｎｆｏｒｍａｔｉｏｎ）メッセージをホームノードエージェント７０へ伝送する。前記ホームノードエージェント７０は、通信ノードから前記移動端末５０へ伝送されるデータが発生する場合、前記訪問者ノードエージェントの動作を遂行するＧＧＳＮ６０のアドレスを有しているので、前記ゲートウェイ訪問者ノードエージェントの動作を遂行するＧＧＳＮ６５を通じないで、前記ＧＧＳＮ６０へデータを直接伝送することができる。
【００３１】
前記本発明の一実施形態によるゲートウェイ訪問者ノードエージェントの動作を遂行するＧＧＳＮ６５が前記ホームノードエージェント７０へ伝送する位置情報メッセージは、下記表１のような構造を有する。
【表１】
2004515113.tif 000003
【００３２】
前記表１において、前記位置情報メッセージは、前記移動端末が属したゲートウェイ訪問者ノードエージェントのアドレス及び前記移動端末が属した訪問者ノードエージェントのアドレスが含まれる。例えば、前記移動端末５０に対する訪問者ノードエージェントの役割をするＧＧＳＮ６０のアドレスは、前記移動端末５０が属した訪問者ノードアドレスになるものであり、前記移動端末５０に対するゲートウェイ訪問者ノードエージェントの役割をするＧＧＳＮ６５のアドレスは、前記移動端末５０が属したゲートウェイ訪問者ノードアドレスになるものである。
【００３３】
次に、図８を参照して前記移動端末５０の地域的トンネル管理方法による動作過程を説明する。
図８は、本発明のまた他の実施形態による移動ＩＰを使用する通信システムで地域的トンネル管理のための移動端末の動作過程を示すフローチャートである。図８を参照すると、移動端末は、ステップ８０１でノードエージェント広告（ＡＧＥＮＴ ＡＤＶＥＲＴＩＳＥＭＥＮＴ）メッセージが受信されるか否かを検査する。前記検査結果、前記ノードエージェント広告メッセージが受信されると、前記移動端末は、ステップ８０３へ進行する。前記ステップ８０３で、前記移動端末は、前記移動端末へゲートウェイ訪問者ノードエージェントの動作を遂行するＧＧＳＮのアドレスが登録されているか否かを検査する。前記検査結果、前記ゲートウェイ訪問者ノードエージェントの動作を遂行するＧＧＳＮのアドレスが登録されていると、前記移動端末は、ステップ８１１へ進行する。ステップ８１１で、前記移動端末は、前記登録されているＧＧＳＮのアドレスを含む登録要求メッセージを前記ノードエージェント広告メッセージを伝送したＧＧＳＮへ伝送してステップ８０９へ進行する。
【００３４】
一方、ステップ８０３で、前記移動端末にゲートウェイ訪問者ノードエージェントの動作を遂行するＧＧＳＮのアドレスが登録されていないと、前記移動端末は、ステップ８０５へ進行する。ステップ８０５で、前記移動端末は、前記受信したノードエージェント広告メッセージから前記ゲートウェイ訪問者ノードエージェントの役割を遂行するＧＧＳＮのアドレスを検出して貯蔵し、ステップ８０７へ進行する。ステップ８０７で、前記移動端末は、前記ＧＧＳＮへ登録要求メッセージを伝送してステップ８０９へ進行する。ステップ８０９で、前記移動端末は、前記登録要求メッセージに応答して登録応答メッセージが受信されたか否かを検査し、前記登録応答メッセージが受信されると、位置登録過程を終了する。
【００３５】
図８を参照して、前記移動端末の地域的トンネル管理方法による動作過程を説明し、次に、図９を参照して、前記ＧＧＳＮの地域的トンネル管理方法による動作過程を説明する。
図９は、本発明のまた他の実施形態による移動ＩＰを使用する通信システムで地域的トンネル管理のためのゲートウェイパケット無線サービス支援ノードの動作過程を示すフローチャートである。 図９を参照すると、訪問者ノードエージェント及び／またはゲートウェイ訪問者ノードエージェントの機能を遂行するＧＧＳＮは、移動端末にＧＴＰトンネルが生成されると、ステップ９０１で、前記移動端末へノードエージェント広告メッセージを伝送してステップ９０３へ進行する。ステップ９０３で、前記ＧＧＳＮは、前記ノードエージェント広告メッセージを伝送した後、前記ＧＧＳＮ自分の領域内に存在する移動端末から登録要求メッセージが受信されるか否かを検査する。前記検査結果、前記ＧＧＳＮ領域内の任意の移動端末から登録要求メッセージが受信されると、前記ＧＧＳＮは、ステップ９０５へ進行する。ステップ９０５で、前記ＧＧＳＮは、前記受信した登録要求メッセージが前記移動端末から受信された登録要求メッセージであるか、または他のＧＧＳＮ、例えば、“第２ＧＧＳＮ”から受信された登録要求メッセージであるか否かを検査する。前記検査結果、前記受信された登録要求メッセージが前記移動端末から受信された登録要求メッセージではないと、前記ＧＧＳＮは、現在までの過程を終了する（図示せず）。しかし、前記受信された登録要求メッセージが前記移動端末から受信された登録要求メッセージである場合、前記ＧＧＳＮは、前記受信された登録要求メッセージに含まれている移動端末のソースアドレス（ｓｏｕｒｃｅ ａｄｄｒｅｓｓ）が前記ＧＧＳＮに登録されているか否かを検査する。前記検査結果、前記移動端末のソースアドレスが登録されている場合、前記ＧＧＳＮは、ステップ９２３へ進行し、前記移動端末のソースアドレスが登録されていない場合、前記ＧＧＳＮはステップ９０７へ進行する。
【００３６】
ステップ９０７で、前記ＧＧＳＮは、訪問者ノードエージェントの機能を遂行し始め、ステップ９０９へ進行する。ステップ９０９で、前記ＧＧＳＮは、前記登録要求メッセージを伝送した移動端末のアドレスを検出して貯蔵し、ステップ９１１へ進行する。ステップ９１１で前記ＧＧＳＮは、前記登録要求メッセージに前記第２ＧＧＳＮのアドレスがあるか否かを検査する。前記検査結果、前記第２ＧＧＳＮのアドレスがあれば、前記ＧＧＳＮは、ステップ９１３へ進行する。ステップ９１３で、前記ＧＧＳＮは、前記登録要求メッセージを前記第２ＧＧＳＮのアドレスへ伝送する。一方、ステップ９１１で、前記登録要求メッセージに前記第２ＧＧＳＮのアドレスがなければ、前記ＧＧＳＮはステップ９１５へ進行する。ステップ９１５で、前記ＧＧＳＮは、前記登録要求メッセージをホームノードエージェントへ伝送してステップ９１７へ進行する。ステップ９１７で、前記ＧＧＳＮは、ステップ９１３またはステップ９１５で伝送した登録要求メッセージに対して該当エレメント、すなわち、前記第２ＧＧＳＮあるいはホームノードエージェントから登録応答メッセージが受信されるか否かを検査する。前記検査結果、前記登録応答メッセージが受信されると、前記ＧＧＳＮはステップ９１９へ進行する。ステップ９１９で、前記ＧＧＳＮは、前記移動端末に対する認証情報を貯蔵し、ステップ９２１へ進行する。ステップ９２１で、前記ＧＧＳＮは、前記受信した登録応答メッセージを前記移動端末へ伝送して終了する。
【００３７】
一方、ステップ９０５で、前記移動端末のソースアドレスが前記ＧＧＳＮに貯蔵されている場合、前記ＧＧＳＮは、ステップ９２３へ進行する。ステップ９２３で、前記ＧＧＳＮは、Ｉフラグを検査してゲートウェイ訪問者ノードエージェントの機能が設定されているか否かを検査する。前記検査結果、前記ゲートウェイ訪問者ノードエージェントの機能が設定されていないと、前記ＧＧＳＮは、ステップ９１１へ進行する。ステップ９２３で、前記ゲートウェイ訪問者ノードエージェントの機能が設定されていると、前記ＧＧＳＮは、ステップ９２５へ進行する。ステップ９２５で、前記ＧＧＳＮは、前記ゲートウェイ訪問者ノードエージェントの機能を遂行し始めてステップ９２７へ進行する。ステップ９２７で、前記ＧＧＳＮは、前記登録要求メッセージを伝送した移動端末に対する認証情報があるか否かを検査し、前記検査結果、前記移動端末に対する認証情報があればステップ９２９へ進行し、前記検査結果、前記移動端末に対する認証情報がなければ、ステップ９１１へ進行する。ステップ９２９で、前記ＧＧＳＮは、前記移動端末に対する認証動作を遂行した後、ステップ９３１へ進行する。ステップ９３１で、前記ＧＧＳＮは、前記登録要求メッセージに対する登録応答メッセージを前記移動端末へ伝送してステップ９３３へ進行する。このとき、前記ＧＧＳＮは、ホームノードエージェントへ登録要求メッセージを伝送しない。ステップ９３３で、前記ＧＧＳＮは、前記登録要求メッセージに第２ＧＧＳＮのアドレスがあれば、前記第２ＧＧＳＮの情報を前記ホームノードエージェントへ伝送して終了する。これは、前記移動端末が現在接続されているＧＧＳＮのアドレス、すなわち、位置情報をホームノードエージェントへ知らせるためのものである。ステップ９３３で、ＧＧＳＮが伝送した位置情報に基づいて、前記ホームノードエージェントは、前記移動端末が現在直接接続しているＧＧＳＮを知ることができる。従って、前記過程の後、通信ノードから前記移動端末へ伝送するデータが発生した場合、前記ＧＧＳＮを通じてデータを伝送せず、前記第２ＧＧＳＮを通じて前記移動端末へ直接データを伝送することが可能である。
【００３８】
図９を参照して、前記ＧＧＳＮの地域的トンネル管理方法による動作過程を説明しており、次に、図１０を参照して、前記ホームノードエージェントの地域的トンネル管理方法による動作過程を説明する。
図１０は、本発明のまた他の実施形態による移動ＩＰを使用する通信システムで地域的トンネル管理のためのホームノードエージェントの動作過程を示すフローチャートである。
【００３９】
図１０を参照すると、ホームノードエージェントは、メッセージが受信されると、ステップ１００１で、前記受信されたメッセージが訪問者ノードエージェントの機能を有するＧＧＳＮから受信された登録要求メッセージであるか否かを検査する。前記検査結果、前記訪問者ノードエージェントの機能を有するＧＧＳＮから受信された登録要求メッセージである場合、前記ホームノードエージェントはステップ１００５へ進行し、前記検査結果、前記登録要求メッセージではない場合、前記ホームノードエージェントは、ステップ１００３へ進行する。ステップ１００３で、前記ホームノードエージェントは、前記受信されたメッセージがゲートウェイ訪問者ノードエージェントの機能を遂行するＧＧＳＮから受信された位置情報メッセージであるか否かを検査する。前記検査結果、前記受信されたメッセージが前記位置情報メッセージである場合、前記ホームノードエージェントはステップ１００７へ進行する。
【００４０】
ステップ１００５で前記ホームノードエージェントは、前記受信された登録要求メッセージの訪問者ノードエージェントの機能を有するＧＧＳＮに対応するゲートウェイ訪問者ノードエージェントの機能を有するＧＧＳＮのアドレスを貯蔵し、ステップ１００９へ進行する。そして、ステップ１００７で、前記ホームノードエージェントは、前記受信された位置情報メッセージを伝送したＧＧＳＮに対応する訪問者ノードエージェントの機能を有するＧＧＳＮのアドレスを貯蔵する。ステップ１００１からステップ１００７までの過程を通じて任意の移動端末に対する位置が登録されると、前記ホームノードエージェントは、ステップ１００９で該当ＧＧＳＮへ登録応答メッセージを伝送してステップ１０１１へ進行する。ステップ１０１１で、前記ホームノードエージェントは、通信ノードから前記位置登録された移動端末へデータが受信されるか否かを検査する。前記検査結果、前記移動端末へデータが受信されると、前記ホームノードエージェントは、ステップ１０１３へ進行する。ステップ１０１３で、前記ホームノードエージェントは、前記通信ノードから受信したデータの目的地（ｄｅｓｔｉｎａｔｉｏｎ）アドレスがゲートウェイ訪問者ノードエージェントの機能を有するＧＧＳＮのアドレスであるか否かを検査する。前記検査結果、前記データの目的地アドレスがゲートウェイ訪問者ノードエージェントの機能を有するＧＧＳＮのアドレスであれば、前記ホームノードエージェントはステップ１０１５へ進行する。ステップ１０１５で、前記ホームノードエージェントは、前記ゲートウェイ訪問者ノードエージェントの機能を有するＧＧＳＮへ前記通信ノードから受信したデータを伝送して終了する。一方、ステップ１０１３で前記データの目的地アドレスが前記ゲートウェイ訪問者ノードエージェントの機能を遂行するＧＧＳＮのアドレスではない場合、前記ホームノードエージェントは、ステップ１０１７へ進行する。ステップ１０１７で、前記ホームノードエージェントは、訪問者ノードエージェントの機能を有するＧＧＳＮのアドレスであるので、前記訪問者ノードエージェントの機能を有するＧＧＳＮへ前記通信ノードから受信したデータを伝送して終了する。
【００４１】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００４２】
【発明の効果】
以上から述べてきたように、本発明は、通信ノードから受信されるデータを移動端末へ伝送する場合、ゲートウェイ訪問者ノードエージェントの機能を有するＧＧＳＮを通過せず、前記移動端末が接続されている訪問者ノードエージェントの機能を有するＧＧＳＮへ直接伝送してメッセージの伝送過程を単純化することができる。また、移動端末が位置登録を遂行するにあたって、訪問者ノードエージェントの機能を有するＧＧＳＮから他のＧＧＳＮへ移動する場合発生するホームノードエージェントへの頻繁な位置登録過程を減らして停滞現象を除去することができる。なお、訪問者ノードエージェントの機能を有するＧＧＳＮが自分の領域であることを知らせるための方式にてブロードキャスティング方式を使用せず、ノードエージェント広告メッセージの伝送方法を使用することによって資源を効率的に活用することができる。
【図面の簡単な説明】
【図１】通常な移動ＩＰを使用する通信システムで位置登録過程を示す信号フロー図である。
【図２】通常な移動ＩＰを使用する移動通信システムで地域的トンネル管理による初期の位置登録過程を示す信号フロー図である。
【図３】通常な移動ＩＰを使用する通信システムで移動端末が現在属した訪問者ノードエージェントから他の訪問者ノードエージェントへ移動する状態を概略的に示す図である。
【図４】通常な移動ＩＰを使用する通信システムで地域的トンネル管理による位置登録過程を示す図である。
【図５】本発明の一実施形態による移動ＩＰを使用するヨーロッパ型の非同期通信システムで地域的トンネル管理による初期の位置登録過程を示す信号フロー図である。
【図６】本発明の他の実施形態による移動ＩＰを使用する通信システムで地域的トンネル管理による位置登録過程を示す信号フロー図である。
【図７】本発明のまた他の実施形態による移動ＩＰを使用する通信システムで移動端末が現在属したゲートウェイパケット無線サービス支援ノードから他のゲートウェイパケット無線サービス支援ノードへ移動する状態を概略的に示す図である。
【図８】本発明のまた他の実施形態による移動ＩＰを使用する通信システムで地域的トンネル管理のための移動端末の動作過程を示すフローチャートである。
【図９】本発明のまた他の実施形態による移動ＩＰを使用する通信システムで地域的トンネル管理のためのゲートウェイパケット無線サービス支援ノードの動作過程を示すフローチャートである。
【図１０】本発明のまた他の実施形態による移動ＩＰを使用する通信システムで地域的トンネル管理のためのホームノードエージェントの動作過程を示すフローチャートである。
【符号の説明】
５０……移動端末
６０，６５……ゲートウェイパケット無線サービス支援ノード
７０……ホームノードエージェント
【国際公開パンフレット】
2004515113.tif 000004
2004515113.tif 000005
2004515113.tif 000006
2004515113.tif 000007
2004515113.tif 000008
2004515113.tif 000009
2004515113.tif 000010
2004515113.tif 000011
2004515113.tif 000012
2004515113.tif 000013
2004515113.tif 000014
2004515113.tif 000015
2004515113.tif 000016
2004515113.tif 000017
2004515113.tif 000018
2004515113.tif 000019
2004515113.tif 000020
2004515113.tif 000021
2004515113.tif 000022
2004515113.tif 000023
2004515113.tif 000024
2004515113.tif 000025
2004515113.tif 000026
2004515113.tif 000027
2004515113.tif 000028
2004515113.tif 000029
2004515113.tif 000030
【国際調査報告】
2004515113.tif 000031
2004515113.tif 000032